(57)【要約】  伝送装置は、ペイロードを生成するペイロード生成部と、前記ペイロードに関するペイロード情報を前記ペイロードに付与する付与部とを有し、前記ペイロード情報が付与された前記ペイロードは、第１レーンを介して送信され、前記第１レーンに関する管理情報は、第２レーンを介して送信される。
2014147743.tif 000002
【特許請求の範囲】
【請求項１】
ペイロードを生成するペイロード生成部と、
前記ペイロードに関するペイロード情報を前記ペイロードに付与する付与部とを有し、
前記ペイロード情報が付与された前記ペイロードは、第１レーンを介して送信され、前記第１レーンに関する管理情報は、第２レーンを介して送信されることを特徴とする伝送装置。
【請求項２】
前記第１レーンを介して送信される前記ペイロード、及び前記第２レーンを介して送信される前記管理情報の誤りを訂正するための誤り訂正符号を生成する誤り訂正符号生成部を、さらに有し、
前記誤り訂正符号は、第３レーンを介して送信されることを特徴とする請求項１に記載の伝送装置。
【請求項３】
データ信号からフレームを生成するフレーム生成部を、さらに有し、
前記ペイロード、前記ペイロード情報、及び前記管理情報は、前記フレームから取得されることを特徴とする請求項１または２に記載の伝送装置。
【請求項４】
前記フレームから取得可能な制御情報を、前記ペイロード情報を含む第１グループ、及び前記管理情報を含む第２グループに分離する分離処理部を、さらに有し、
前記付与部は、前記第１グループの制御情報を前記ペイロードに付与し、
前記第１グループの制御情報が付与された前記ペイロードは、前記第１レーンを介して送信され、前記第２グループの制御情報は、前記第２レーンを介して送信されることを特徴とする請求項３に記載の伝送装置。
【請求項５】
前記ペイロード情報は、共通のデータ信号から生成された前記ペイロードを識別するための識別子を含むことを特徴とする請求項１乃至４の何れかに記載の伝送装置。
【請求項６】
前記管理情報は、前記ペイロード情報が付与された前記ペイロードより低い伝送速度で送信されることを特徴とする請求項１乃至５の何れかに記載の伝送装置。
【請求項７】
前記誤り訂正符号は、前記ペイロード情報が付与された前記ペイロードより低い伝送速度で送信されることを特徴とする請求項２に記載の伝送装置。
【請求項８】
ペイロードを生成し、前記ペイロードに関するペイロード情報を前記ペイロードに付与する第１伝送装置と、
前記第１伝送装置と接続された第２伝送装置とを有し、
前記第１伝送装置は、前記ペイロード情報が付与された前記ペイロードを、第１レーンを介して送信し、前記第１レーンに関する管理情報を、第２レーンを介して送信し、
前記第２伝送装置は、前記第１レーン及び前記第２レーンを介して送信された信号を受信することを特徴とする伝送システム。
【請求項９】
ペイロードを生成し、
前記ペイロードに関するペイロード情報を前記ペイロードに付与し、
前記ペイロード情報が付与された前記ペイロードを、第１レーンを介して送信し、
前記第１レーンに関する管理情報を、第２レーンを介して送信することを特徴とする伝送方法。
【請求項１０】
前記第１レーンを介して送信されるペイロード、及び前記第２レーンを介して送信される前記管理情報の誤りを訂正するための誤り訂正符号を、第３レーンを介して送信することを特徴とする請求項９に記載の伝送方法。
【請求項１１】
データ信号から生成されたフレームから、前記ペイロード、前記ペイロード情報、及び前記管理情報を取得することを特徴とする請求項９または１０に記載の伝送方法。
【請求項１２】
前記フレームから取得可能な制御情報を、前記ペイロード情報を含む第１グループ、及び前記管理情報を含む第２グループに分離し、
前記第１グループの制御情報を、前記ペイロードに付与し、
前記第１グループの制御情報が付与された前記ペイロードを、前記第１レーンを介して送信し、前記第２グループの制御情報を、前記第２レーンを介して送信することを特徴とする請求項１１に記載の伝送方法。
【請求項１３】
前記ペイロード情報は、共通のデータ信号から生成された前記ペイロードを識別するための識別子を含むことを特徴とする請求項９乃至１２の何れかに記載の伝送方法。
【請求項１４】
前記管理情報を、前記ペイロード情報が付与された前記ペイロードより低い伝送速度で送信することを特徴とする請求項９乃至１３の何れかに記載の伝送方法。
【請求項１５】
前記誤り訂正符号を、前記ペイロード情報が付与された前記ペイロードより低い伝送速度で送信することを特徴とする請求項１０に記載の伝送方法。
【発明の詳細な説明】
【技術分野】
【０００１】
本件は、伝送装置、伝送システム、及び伝送方法に関する。
【背景技術】
【０００２】
通信需要の増加に伴い、高速光伝送方式が標準化されている。例えば、ＩＴＵ−Ｔ（International Telecommunication Union Telecommunication Standardization Sector（国際電気通信連合））勧告Ｇ．７０９は、約２．５〜１００（Ｇｂｐｓ）の光伝送ネットワーク（ＯＴＮ：Optical Transport Network）の技術を規定する（下記非特許文献１）。【０００３】
ＯＴＮによる光伝送は、クライアント信号をそれぞれ収容する複数の光信号を波長多重（ＷＤＭ：Wavelength Division Multiplexing）技術により多重して行われ、大容量の伝送を可能とする。光信号に収容されるクライアント信号としては、ＳＤＨ（Synchronous Digital Hierarchy）フレーム、ＳＯＮＥＴ（Synchronous Optical NET）フレーム、及びイーサネット（登録商標）フレームが挙げられる。【０００４】
ＯＴＮで伝送される光信号のフレームは、ＯＴＵ（Optical channel Transport Unit）フレームと呼ばれ、制御情報であるオーバーヘッド、クライアント信号を含むペイロード、及び、エラー訂正符号であるＦＥＣ（Forward Error Correction）を有する。ＯＴＵフレームは、例えば２０の論理レーンに分かれて伝送される。このとき、ＯＴＵフレームは、オーバーヘッド、ペイロード、及びＦＥＣを区別されることなく、１６（Ｂｙｔｅ）単位のブロックに分割される。各ブロックは、順次にレーンに分配されて、レーンごとの個別の搬送波により伝送される。
【先行技術文献】
【非特許文献】
【０００５】
【非特許文献１】International Telecommunication Union, “Interfaces for the Optical Transport Network(OTN)”, ITU-T Recommendation G.709/Y.1331,2009-12.
【発明の概要】
【発明が解決しようとする課題】
【０００６】
ＯＴＵフレームの伝送速度を増加させる場合、例えば、伝送速度が高い光トランシーバを各論理レーンの伝送処理に用いればよい。この場合、ＯＴＵフレームに含まれるオーバーヘッド、ペイロード、及びＦＥＣの帯域は、上述したブロック単位の伝送処理のため、同一の比率を保ったまま、増加する。【０００７】
オーバーヘッド及びＦＥＣの各データ量は、ペイロードのデータ量に比べると十分に少ないため、必ずしもペイロードと同じ伝送速度で伝送されなくてもよい。したがって、オーバーヘッド及びＦＥＣの帯域の増加は、帯域の利用効率を低下させる。【０００８】
そこで本件は上記の課題に鑑みてなされたものであり、帯域の利用効率を向上させる伝送装置、伝送システム、及び伝送方法を提供することを目的とする。
【課題を解決するための手段】
【０００９】
本明細書に記載の伝送装置は、ペイロードを生成するペイロード生成部と、前記ペイロードに関するペイロード情報を前記ペイロードに付与する付与部とを有し、前記ペイロード情報が付与された前記ペイロードは、第１レーンを介して送信され、前記第１レーンに関する管理情報は、第２レーンを介して送信される。【００１０】
本明細書に記載の伝送システムは、ペイロードを生成し、前記ペイロードに関するペイロード情報を前記ペイロードに付与する第１伝送装置と、前記第１伝送装置と接続された第２伝送装置とを有し、前記第１伝送装置は、前記ペイロード情報が付与された前記ペイロードを、第１レーンを介して送信し、前記第１レーンに関する管理情報を、第２レーンを介して送信し、前記第２伝送装置は、前記第１レーン及び前記第２レーンを介して送信された信号を受信する。【００１１】
本明細書に記載の伝送方法は、ペイロードを生成し、前記ペイロードに関するペイロード情報を前記ペイロードに付与し、前記ペイロード情報が付与された前記ペイロードを、第１レーンを介して送信し、前記第１レーンに関する管理情報を、第２レーンを介して送信する。
【発明の効果】
【００１２】
本明細書に記載の伝送装置、伝送システム、及び伝送方法は、帯域の利用効率を向上するという効果を奏する。
【図面の簡単な説明】
【００１３】
【図１】実施例に係る伝送システムの構成図である。
【図２】比較例に係る伝送方法を示す図である。
【図３】ＯＴＵフレームの構成を示す構成図である。
【図４】ＯＴＵフレームのオーバーヘッドの構成を示す構成図である。
【図５】ＯＴＵフレームを分割して得られるブロックを示す構成図である。
【図６】論理レーンに対するブロックの分配を示す図である。
【図７】実施例に係る伝送方法を示す図である。
【図８】第１フレーム、第２フレーム、及び第３フレームの構成例を示す構成図である。
【図９】第２オーバーヘッドの内容の一例を示す図である。
【図１０】第１オーバーヘッドの内容の一例を示す図である。
【図１１】実施例に係る伝送装置の構成を示す構成図である。
【図１２】受信側の伝送装置の構成例を示す構成図である。
【図１３】実施例に係る伝送システムの伝送処理を示すフローチャートである。
【図１４】他の実施例に係る伝送装置の構成を示す構成図である。
【図１５】他の実施例における第２オーバーヘッドの内容を示す図である。
【図１６】他の実施例における第１オーバーヘッドの内容を示す図である。
【図１７】他の実施例における受信側の伝送装置の構成例を示す構成図である。
【図１８】他の実施例に係る伝送システムの伝送処理を示すフローチャートである。
【発明を実施するための形態】
【００１４】
図１は、実施例に係る伝送システムの構成図である。伝送システムは、伝送路３を介して接続された第１伝送装置１及び第２伝送装置２を有する。第１伝送装置１は、外部のネットワークから入力された複数のクライアント信号Ｓ１〜Ｓｎを波長多重し、多重光信号Ｓｍｕｘとして、伝送路３を介し第２伝送装置２に送信する。
【００１５】
第２伝送装置２は、多重光信号Ｓｍｕｘを受信して、波長ごとに分離することにより複数のクライアント信号Ｓ１〜Ｓｎを得て、外部の他のネットワークに転送する。なお、本明細書において、クライアント信号Ｓ１〜Ｓｎとは、伝送システムと外部ネットワークとの間において入出力される信号を表す。
【００１６】
第１伝送装置１は、複数の信号処理部１０と、波長多重部１１とを有し、外部のネットワークからクライアント信号Ｓ１〜Ｓｎが入力される。複数の信号処理部１０は、複数のクライアント信号Ｓ１〜Ｓｎを、複数の論理レーンを介し、それぞれ送信する処理を行う。論理レーンは、信号処理部１０の回路、またはソフトウェアにより形成される機能部に設けられた一連の信号処理の経路である。なお、クライアント信号Ｓ１〜Ｓｎの波長が同一である場合、第１伝送装置１は、クライアント信号Ｓ１〜Ｓｎの波長を、信号ごとに異なる波長に変換する。
【００１７】
クライアント信号Ｓ１〜Ｓｎのデータは、それぞれ、複数の論理レーンに分かれ、並行して処理される。複数の信号処理部１０は、クライアント信号Ｓ１〜Ｓｎを波長単位の複数の搬送波にそれぞれ重畳して送信する。
【００１８】
波長多重部１１は、各信号処理部１０から送信された複数の搬送波（つまり光信号）を波長多重する。波長多重部１１としては、例えば、アレイ導波路格子（AWG：Arrayed Waveguide Grating）、波長選択スイッチ（WSS: Wavelength Selective Switch）、光カプラなどの合波手段を用いることができる。
【００１９】
波長多重部１１は、例えば、伝送速度１００（Ｇｂｐｓ）×８８波の波長多重を行い、８．８（Ｔｂｐｓ）の多重光信号Ｓｍｕｘの伝送が可能である。多重光信号Ｓｍｕｘは、光ファイバなどの伝送路３を介して第２伝送装置２に入力される。
【００２０】
第２伝送装置２は、複数の信号処理部２０と、波長分離部２１とを有する。波長分離部２１は、多重光信号Ｓｍｕｘを波長ごとの光信号に分離して、複数の信号処理部２０の各々に出力する。波長分離部２１としては、例えばアレイ導波路格子や波長選択スイッチなどの分波手段を用いることができる。複数の信号処理部２０は、それぞれ、複数の論理レーンにおいて光信号の受信処理を行い、クライアント信号Ｓ１〜Ｓｎとして外部のネットワークに出力する。
【００２１】
このように、伝送システムは、多重光信号Ｓｍｕｘを１つの伝送路３を介して伝送することにより、設備コストを低減するとともに、大容量伝送を可能とする。なお、本実施例では、１つの伝送路３を用いているが、これに限定されず、複数の伝送路を用いてもよい。
【００２２】
次に、複数の信号処理部１０における伝送方法について述べる。図２には、比較例に係る伝送方法が示されている。この伝送方法は、ＩＴＵ−Ｔ勧告Ｇ．７０９に従った方法である。なお、以降の説明において、ＩＴＵ−Ｔ勧告Ｇ．７０９に規定されたＯＴＮを例に挙げるが、本明細書に記載された実施例の適用範囲は、これに限定されない。
【００２３】
比較例において、複数の信号処理部１０は、それぞれ、クライアント信号Ｓ１〜Ｓｎが収容されたＯＴＵフレームの送信処理を行う。ＯＴＵフレームは、複数のブロックに分割されて、例えば論理レーン＃１〜＃２０に分配されて送信処理がなされ、１つの搬送波に重畳されて伝送される。
【００２４】
図３は、ＯＴＵフレームの構成を示す構成図である。ＯＴＵフレームは、オーバーヘッド、ペイロード、及びＦＥＣをそれぞれ格納する３つの領域を有する。なお、図３中の「ＯＨ」は、オーバーヘッドを表す。
【００２５】
オーバーヘッド領域は、ＦＡＳ（Frame Alignment Signal）オーバーヘッド、ＯＴＵオーバーヘッド、ＯＤＵ（Optical channel Data Unit）オーバーヘッド、及びＯＰＵ（Optical channel Payload Unit）オーバーヘッドを含む。各オーバーヘッドは、各種の制御情報を含む。また、ペイロード領域は、論理チャネルである複数のＴＳ（Tributary Slot）（図示せず）が設けられ、ＴＳごとにクライアント信号Ｓｉを収容する。
【００２６】
図４は、ＯＴＵフレームのオーバーヘッドの構成を示す構成図である。図４において、「Ｒｏｗ」及び「Ｂｙｔｅ」は、図３の「Ｒｏｗ」及び「Ｂｙｔｅ」にそれぞれ対応する。また、フレーム内にある「＊１」〜「＊４」の内容は、フレーム外の「＊１」〜「＊４」にそれぞれ示されている。
【００２７】
ＦＡＳオーバーヘッドは、ＦＡＳ及びＭＦＡＳ（Multi-Frame Alignment Signal）を含み、受信側の伝送装置２におけるフレーム同期に用いられる。言い換えれば、ＦＡＳオーバーヘッドは、ＯＴＵフレームの先頭を示す固有パタンデータである。なお、ＦＡＳの６（Ｂｙｔｅ）目のデータは、論理レーンのレーン番号（ＬＬＭ：Logical Lane Marker）に対応する。
【００２８】
ＯＴＵオーバーヘッドは、監視機能を提供し、ＳＭ（Section Monitoring）と、ＧＣＣ（General Communication Channel）０と、ＲＥＳ(Reserved for future international standardization)とを含む。ＳＭは、ＴＴＩ（Trail Trace Identifier）と、ＢＩＰ−８（Bit Interleaved Parity level 8）とを含む。ＳＭは、ＢＥＩ（Backward Error Indication）／ＢＩＡＥ（Backward Incoming Alignment Error）と、ＢＤＩ（Backward Defect Indication）と、ＩＡＥ（Incoming Alignment Error）と、ＲＥＳとを、さらに含む。
【００２９】
ＯＤＵオーバーヘッドは、ＲＥＳ、ＰＭ（Path Monitoring）＆ＴＣＭ（Tandem Connection Monitoring）、ＴＣＭ  ＡＣＴ（Activation/deactivation Control Channel）、ＴＣＭ１〜６、及びＦＴＦＬ（Fault Type & Fault Location reporting channel）を含む。ＯＤＵオーバーヘッドは、ＰＭ、ＥＸＰ（Experimental）、ＧＣＣ１，２、及びＡＰＳ（Automatic Protection Switching coordination channel）／ＰＣＣ（Protection Communication Channel）を、さらに含む。ＰＭ＆ＴＣＭは、ＤＭｔ（Delay Measurement of TCM）１〜６と、ＤＭｐ（Delay Measurement of ODUk path）と、ＲＥＳとを含む。
【００３０】
ＴＣＭ１〜６は、それぞれ、ＴＴＩと、ＢＩＰ−８と、ＢＥＩｉ／ＢＩＡＥｉと、ＢＤＩｉと、ＳＴＡＴ（Status）ｉとを含む（ｉ＝１〜６）。ＰＭは、ＴＴＩと、ＢＩＰ−８と、ＢＥＩと、ＢＤＩと、ＳＴＡＴとを含む。
【００３１】
ＯＰＵオーバーヘッドは、ＰＳＩ（Payload Structure Identifier）と、ＪＣ（Justification Control）と、ＮＪＯ（Negative Justification Opportunity）と、ＰＪＯ（Positive Justification Opportunity）と、ＲＥＳとを含む。ＲＥＳは、ＧＭＰ(Generic Mapping Procedure)運用の場合、ＪＣとして使用される。なお、上記の各パラメータの詳細については、ＩＴＵ−Ｔ勧告Ｇ．７０９に規定されている。
【００３２】
図５は、ＯＴＵフレームを分割して得られるブロックを示す構成図である。図５において、「Ｒｏｗ」及び「Ｂｙｔｅ」は、図３及び図４の「Ｒｏｗ」及び「Ｂｙｔｅ」にそれぞれ対応する。
【００３３】
各ブロックは、ＯＴＵフレームの各Ｒｏｗのデータを、１６（Ｂｙｔｅ）単位で順次に切り出すことにより得られる。先頭ブロックは、上記のＦＡＳオーバーヘッドを含む。ブロックは、複数の論理レーン＃１〜＃２０に分配されて送信される。
【００３４】
図６は、論理レーンに対するブロックの分配を示す図である。連続して送信されるＯＴＵフレームにおいて、ＦＡＳオーバーヘッドを含む先頭ブロック（「１：１６（ＦＡＳ）」参照）は、論理レーン＃１〜＃２０に順次に分配される。このため、受信側の第２伝送装置２は、ＦＡＳオーバーヘッドを検出することにより、フレーム同期だけでなく、論理レーン＃１〜＃２０間のスキューを調整でき、ＯＴＵフレームの復元処理を可能とする。
【００３５】
比較例に係る伝送方法によると、各ブロックは、オーバーヘッド、ペイロード、及びＦＥＣを区別されることなく、論理レーン＃１〜＃２０に分配される。このため、ＯＴＵフレームの伝送速度を増加させると、オーバーヘッド、ペイロード、及びＦＥＣの帯域は、同一の比率を保ったまま、増加する。
【００３６】
オーバーヘッド及びＦＥＣの各データ量は、ペイロードのデータ量に比べると十分に少ないため、必ずしもペイロードと同じ伝送速度で伝送されなくてもよい。したがって、オーバーヘッド及びＦＥＣの帯域の増加は、帯域の利用効率を低下させる。
【００３７】
これに対して、通常、ペイロードのみを送信し、必要なときだけオーバーヘッド及びＦＥＣを送信すれば、帯域の利用効率を向上できるが、受信側の第２伝送装置２は、オーバーヘッドを固定長のデータとして検出する。このため、フレームごとに可変長のオーバーヘッドを送信すると、オーバーヘッド、ペイロード、及びＦＥＣを検出したとき、互いの同期をとることが困難である。仮に、同期手段を設けたとしても、複雑な処理を行うため、十分な処理速度が得られずに、ＯＴＵフレームにエラーを生ずる可能性がある。
【００３８】
そこで、実施例に係る伝送方法では、ペイロードの受信処理に必要がない情報を、ペイロートから切り離し、ペイロードとは異なる論理レーンを介して送信する。例えば、信号処理部１０の複数の論理レーンのうち、１つを、オーバーヘッドに含まれる情報のうち、ペイロードとの関連性が低い情報の送信に使用し、残りを、オーバーヘッドに含まれる他の情報及びペイロードの送信に使用する。また、ＦＥＣを用いる場合、さらに他の１つをＦＥＣの送信に使用する。図７には、実施例に係る伝送方法が示されている。
【００３９】
この伝送方法では、信号処理部１０において、クライアント信号Ｓｉのデータを、ペイロード＃１〜＃ｎ（ｎは自然数）として、オーバーヘッド＃１〜＃ｎの各々の一部とともに、複数の第１論理レーン（第１レーン）＃１〜＃ｎに分配する。また、オーバーヘッド＃１〜＃ｎの各々の他の一部を、第２論理レーン（第２レーン）に分配する。ここで、オーバーヘッド＃１〜＃ｎは、ペイロード＃１〜＃ｎにそれぞれ対応して生成される。なお、第１論理レーンは、１つであってもよい。
【００４０】
また、ＦＥＣ＃１〜＃ｎは、第３論理レーン（第３レーン）に分配される。ＦＥＣ＃１〜＃ｎは、オーバーヘッド＃１〜＃ｎ及びペイロード＃１〜＃ｎからそれぞれ生成される。これにより、オーバーヘッド＃ｉの一部、ペイロード＃ｉ、及びＦＥＣ＃ｉ（ｉは１以上の自然数）は、個別の搬送波λ０〜λn+1により送信される。
【００４１】
クライアント信号Ｓｉのデータは、第１論理レーン＃１〜＃ｎのうち、少なくとも１つの論理レーンに分配される。つまり、第２論理レーン＃１〜＃ｎは、個別のクライアント信号Ｓｉ，・・・，Ｓi+j（ｊは１以上の自然数）のデータがそれぞれ分配されてもよいし、単一のクライアント信号Ｓｉを分割して得られたデータがそれぞれ分配されてもよい。
【００４２】
したがって、例えば、第１論理レーン＃１にクライアント信号Ｓｉのデータを分配し、第１論理レーン＃２〜＃５に他のクライアント信号Ｓi+1のデータを、上記のブロックを単位として分配することができる。ここで、クライアント信号Ｓｉに使用される論理レーンの数は、効率的な伝送を行うために、例えばクライアント信号Ｓｉのデータ量に応じて決定されてもよい。なお、オーバーヘッド＃１〜＃ｎ、ペイロード＃１〜＃ｎ、及びＦＥＣ＃１〜＃ｎは、後述するように、クライアント信号Ｓｉから直接的に取得してもよいし、クライアント信号Ｓｉから、いったん生成されたＯＤＵフレーム（ＯＴＵフレームからＦＥＣ領域を除いたもの）から抽出されてもよい。
【００４３】
複数の第１論理レーン＃１〜＃ｎでは、それぞれ、第１フレームが生成され、第２論理レーンでは、第２フレームが生成される。また、第３論理レーンでは、第３フレームが生成される。第１フレーム、第２フレーム、及び第３フレームは、複数の搬送波λ０〜λn+1に重畳されて送信される。
【００４４】
複数の搬送波λ０〜λn+1による送信手段としては、例えば、ＳＬＩＣＥ（Spectrum sliced elastic optical path network）と呼ばれる３５２波の超多波長多重技術を用いることができる。ＳＬＩＣＥは、ＩＴＵ−Ｔ勧告により規定された５０（ＧＨｚ）の間隔、つまりＩＴＵ−Ｔ周波数グリッドを拡張し、１２．５（ＧＨｚ）間隔の波長多重を実現する。本例では、第２フレーム及び第３フレームに１波ずつ用いるから、残りの３５０波を第１フレームに使用して、大容量の伝送が可能となる。
【００４５】
図８は、第１フレーム、第２フレーム、及び第３フレームの構成例を示す構成図である。図８において、各フレームは、紙面左側に位置するデータから順次に送信される。
【００４６】
ペイロード＃１〜＃ｎに対応するオーバーヘッド＃１〜＃ｎは、ペイロード＃１〜＃ｎに対する関連性の高低に応じて、第１オーバーヘッド＃１〜＃ｎ及び第２オーバーヘッド＃１〜＃ｎに区別される。ここで、上記の関連性とは、受信側の第２伝送装置２の受信処理において、オーバーヘッド＃１〜＃ｎに含まれる制御情報の処理とペイロード＃１〜＃ｎの処理との時間的な密接の程度により判断される。例えば、ＢＩＰ−８は、ペイロード＃１〜＃ｎのデータを順次にパリティ演算して得られるので、関連性が高いと判断され、第１オーバーヘッド＃１〜＃ｎに含まれる。
【００４７】
第１オーバーヘッド＃１〜＃ｎは、ペイロード＃１〜＃ｎとの関連性が相対的に高く、ペイロード＃１〜＃ｎとともに第１フレーム＃１〜＃ｎにそれぞれ含まれて送信される。例えば、ペイロードとの関連性が高い情報とは、ペイロードの受信処理に用いられるような情報であり、フレーム同期に用いられるＦＡＳ等がある。
【００４８】
一方、第２オーバーヘッド＃１〜＃ｎは、ペイロード＃１〜＃ｎとの関連性が相対的に低く、第２フレーム＃１〜＃ｎにそれぞれ含まれて送信される。例えば、ペイロードとの関連性が低い情報とは、装置間において送受信されるような情報であり、障害通知等がある。なお、第１オーバーヘッド＃１〜＃ｎ及び第２オーバーヘッド＃１〜＃ｎの内容の具体例については、後述する。
【００４９】
第１フレーム＃１〜＃ｎは、第１論理レーン＃１〜＃ｎを介してそれぞれ送信される。第１フレーム＃１〜＃ｎは、それぞれ、第１オーバーヘッド＃ｉが付与されたペイロード＃ｉが配置されている（ｉ＝１〜ｎ）。第１オーバーヘッド＃ｉの先頭位置には、レーン間の同期処理を行うためのＦＡＳ及びＭＦＡＳが先頭に配置されている。１つのクライアント信号Ｓｉを、複数の論理レーン＃ｉ〜＃ｉ＋ｊに分配する場合、該クライアント信号Ｓｉのデータは、複数のペイロード＃ｉ〜＃ｉ＋ｊに分かれて収容される。この場合、ペイロード＃ｉ〜＃ｉ＋ｊにそれぞれ対応する第１及び第２オーバーヘッド＃ｉ〜＃ｉ＋ｊは、同一の内容を有する。
【００５０】
第２フレームは、論理レーン間の同期処理を行うためのＦＡＳ及びＭＦＡＳが先頭に配置され、その後に、第２オーバーヘッド＃１〜＃ｎが順に配置されている。このため、第２オーバーヘッド＃１〜＃ｎは、第２論理レーンを介して時分割で順次に送信される。
【００５１】
第３フレームは、論理レーン間の同期処理を行うための複数のＦＡＳ及びＭＦＡＳと、複数のＦＡＳ及びＭＦＡＳの各々の後に、ＦＥＣ＃１〜＃ｎがそれぞれ配置されている。ＦＥＣ＃１〜＃ｎは、ペイロード＃１〜＃ｎ及び第１及び第２オーバーヘッド＃１〜＃ｎのデータの誤りをそれぞれ訂正するための訂正符号である。ＦＥＣ＃１〜＃ｎは、第３論理レーンを介して時分割で順次に送信される。
【００５２】
本実施例では、第２オーバーヘッド＃１〜＃ｎと、第１オーバーヘッド＃１〜＃ｎ及びペイロード＃１〜＃ｎと、及びＦＥＣ＃１〜＃ｎとを、個別のフレームに含めて別々に送信する。このため、各論理レーンにおける伝送速度に応じて、各々の帯域の比率を個別に変更することができる。
【００５３】
また、ペイロード＃１〜＃ｎのオーバーヘッド＃１〜＃ｎから、第２オーバーヘッド＃１〜＃ｎを分離し、ペイロード＃１〜＃ｎとは別に送信するので、ペイロード＃１〜＃ｎとともに送信されるデータ量が低減される。したがって、ペイロード＃１〜＃ｎの帯域を、第２オーバーヘッド＃１〜＃ｎ及びＦＥＣ＃１〜＃ｎの帯域より多く確保できるので、帯域の利用効率を向上することができる。
【００５４】
また、本実施例では、ペイロード＃１〜＃ｎの各オーバーヘッド＃１〜＃ｎが、第１オーバーヘッド＃１〜＃ｎ及び第２オーバーヘッド＃１〜＃ｎに分離され、第１論理レーン＃１〜＃ｎ及び第２論理レーンをそれぞれ介して別々に送信される。したがって、ペイロード＃１〜＃ｎとの関連性が比較的に高い第１オーバーヘッド＃１〜＃ｎを、ペイロード＃１〜＃ｎと同じ伝送速度で送信することができ、受信側の第２伝送装置２において正常な受信処理が可能となる。
【００５５】
例えば、第１オーバーヘッド＃１〜＃ｎは、ペイロード＃１〜＃ｎに付与されるＦＡＳ及びＭＦＡＳである。ＦＡＳ及びＭＦＡＳは、フレーム同期で用いられるので、仮に、ＦＡＳ及びＭＦＡＳをペイロード＃１〜＃ｎに付与せずに送信すると、ペイロード＃１〜＃ｎは、受信側の伝送装置２において正常に受信されない。言い換えれば、第１オーバーヘッド＃１〜＃ｎは、ペイロード＃１〜＃ｎに関するペイロード情報である。このように、フレーム同期に用いられる情報は、第１オーバーヘッド＃１〜＃ｎに含まれ、ペイロード＃１〜＃ｎに付与されて送信される。
【００５６】
また、第２オーバーヘッド＃１〜＃ｎは、ペイロード＃１〜＃ｎとの関連性が比較的に低いので、ペイロード＃１〜＃ｎと異なる伝送速度で送信しても問題を生ずることはない。例えば、第２オーバーヘッド＃１〜＃ｎは、伝送装置１，２間における保守運用管理のために送受信される管理情報である。言い換えれば、第２オーバーヘッド＃１〜＃ｎは、第１レーンに関する管理情報である。この管理情報は、受信側の伝送装置２において、ペイロードの受信のために使用される情報ではないため、ペイロード＃１〜＃ｎと異なるレーンで伝送しても、ペイロード＃１〜＃ｎの受信処理に影響しない。このように、受信側の伝送装置２において、ペイロード＃１〜＃ｎの受信処理に影響しない情報を、第２オーバーヘッド＃１〜＃ｎとして選択する。以下に、第１オーバーヘッド＃１〜＃ｎ及び第２オーバーヘッド＃１〜＃ｎについて具体的に述べる。
【００５７】
図９には、第２オーバーヘッド＃１〜＃ｎの内容の一例が示されている。図９において、「ＰＭ＆ＴＣＭ」の内容は、枠外の「＊」により示されている。第２オーバーヘッド＃１〜＃ｎは、ＩＴＵ−Ｔ勧告Ｇ．７０９に規定されたオーバーヘッドの制御情報から、ＲＥＳなどの不要な情報を除き、さらにペイロードとの関連性が比較的に低いものを選択することにより得られる。
【００５８】
第２オーバーヘッド＃１〜＃ｎは、図４に示されたオーバーヘッドに含まれる制御情報のうち、ＳＭ、ＧＣＣ０〜ＧＣＣ２、ＰＭ＆ＴＣＭ、ＴＣＭ  ＡＣＴ、ＴＣＭ１〜ＴＣＭ６、ＦＴＦＬ、ＰＭ、及びＡＰＳ／ＰＣＣを含む。ここで、ＳＭ、ＴＣＭ１〜ＴＣＭ６、及びＰＭは、ＴＴＩのみを含む。
【００５９】
第２オーバーヘッド＃１〜＃ｎは、さらにＭＳＩ（Multiplex Structure Identifier）＃１及びＭＳＩ＃２を含む。ＭＳＩ＃１は、ＭＳＩを含み、ＭＳＩ＃２は、ＭＳＩ及びＲＥＳを含む。ＭＳＩ＃１，＃２は、ＯＰＵオーバーヘッドのＰＳＩに含まれ（図４参照）、ＯＰＵ内のＴＳのＯＤＴＵ（Optical channel Data Tributary Unit）の内容を示す。ＭＳＩの長さは、例えば、上述したＳＬＩＣＥの３５２波に対応して決定される。
【００６０】
このように、第２オーバーヘッド＃１〜＃ｎは、ペイロード＃１〜＃ｎと直接的な関係がないチャネル情報などのノード間の管理情報を含む。したがって、第２オーバーヘッド＃１〜＃ｎは、ペイロード＃１〜＃ｎから切り離され、第２論理レーンを介して伝送されることにより、受信側の第２伝送装置２においてペイロード＃１〜＃ｎと異なるタイミングで受信されても、ペイロード＃１〜＃ｎの受信処理に影響しない。
【００６１】
図１０は、第１オーバーヘッド＃１〜＃ｎの内容の一例が示されている。図１０において、枠内にある「＊１」〜「＊４」の内容は、枠外の「＊１」〜「＊４」により示されている。
【００６２】
第１オーバーヘッド＃１〜＃ｎは、図４に示されたオーバーヘッドに含まれる制御情報のうち、ＦＡＳ、ＭＦＡＳ、ＳＭ、ＴＣＭ１〜ＴＣＭ６、ＰＭ、ＥＸＰ、ＮＪＯ、ＪＣ１〜ＪＣ６、及びＰＪＯを含む。ここで、ＳＭ、ＴＣＭ１〜ＴＣＭ６、及びＰＭは、ＴＴＩを除いた、ＢＩＰ−８などの情報を含む。なお、ＰＪＯは、ＯＴＵフレームのＲｏｗ４の１７Ｂｙｔｅ目に配置される情報である。ＪＣ１〜ＪＣ６は、ＡＭＰ（Asynchronous Mapping Procedure）の場合、データが共通する３つだけが使用され、ＧＭＰ（Generic Mapping Procedure）の場合、全部が使用される。
【００６３】
第１オーバーヘッド＃１〜＃ｎは、ＦＥＣ情報、スルー情報、及びフレームＩＤを、さらに含む。ＦＥＣ情報は、１（Ｂｉｔ）のデータ量を有し、当該第１及び第２オーバーヘッド＃ｉ及びペイロード＃ｉに対応するＦＥＣ＃ｉの有無を示す。ＦＥＣ情報が「有」を示す場合、第３フレームのＦＥＣ＃ｉが生成され、ＦＥＣ情報が「無」を示す場合、ＦＥＣ＃ｉに代え、例えば固定パタンを有するダミーデータが生成され、第３フレームのＦＥＣ＃ｉの位置に挿入される。ＦＥＣ情報は、送信側の第１伝送装置１だけでなく、受信側の第２伝送装置２においても参照される。
【００６４】
スルー情報は、１（Ｂｉｔ）のデータ量を有し、受信側の第２伝送装置２において、当該第１及び第２オーバーヘッド＃ｉ及びペイロード＃ｉの特定の処理の省略の可否を示す。例えば、１つのクライアント信号Ｓｉのデータが、単一の第１フレーム＃ｉに収容されて送信される場合、受信側の第２伝送装置２におけるクライアント信号Ｓｉの復元処理は不要であるので、スルー情報は「可」を示す。他方、１つのクライアント信号Ｓｉのデータが、複数の第１フレーム＃ｉ〜＃ｉ＋ｊに収容されて送信される場合、スルー情報は「不可」を示す。
【００６５】
フレームＩＤは、１４（Ｂｉｔ）のデータ量を有し、１つのクライアント信号Ｓｉが、複数の第１フレーム＃ｉ〜＃ｉ＋ｊに収容されて送信される場合、当該クライアント信号Ｓｉを示す。つまり、フレームＩＤは、複数のペイロード＃１〜＃ｎのうち、共通のクライアント信号（データ信号）Ｓｉから生成されたペイロード＃ｉ〜＃ｉ＋ｊを識別するための識別子である。フレームＩＤを用いることにより、クライアント信号Ｓｉのデータを、複数のペイロード＃ｉ〜＃ｉ＋ｊに収容して伝送することができるため、伝送効率が向上する。
【００６６】
フレームＩＤは、上述したＳＬＩＣＥの３５２波に対応する場合、１４（Ｂｉｔ）中、最大波長数の３５１波を示すために９（Ｂｉｔ）が使用され、残りの５（Ｂｉｔ）が、上記の識別子として使用できる。このため、３２個のグループに分けることが可能である。つまり、最初の９（Ｂｉｔ）により、上記３５１波のうち、第１フレーム＃１〜＃ｎの搬送波に用いられるものを示し、残りの５（Ｂｉｔ）により３２個のグループ番号が示される。
【００６７】
例えば、１つのクライアント信号を、波長λ１，λ２，λ３，λ４，λ５の搬送波に振り分けて伝送し、該当するグループ番号を1番とすると、波長λ１，λ２，λ３，λ４，λ５の第１フレームのフレームＩＤは、それぞれ1-1、2-1、3-1、4-1、5-1となる。他の例を挙げると、１つのクライアント信号を、波長λ１０，λ１００，λ２５５，λ３５１に振り分けて伝送し、該当するグループ番号を5番とすると、波長λ１０，λ１００，λ２５５，λ３５１の第１フレームのフレームＩＤは、それぞれ10-5、100-5、255-5、351-5となる。
【００６８】
図１０では、ＦＥＣ情報，スルー情報、及びフレームＩＤに合計２（Ｂｙｔｅ）を使用する例を示しており、この場合、グループ番号は最大３２個であるが、グループ番号を増加させる場合、フレームＩＤのビット数を増やせばよい。このように、フレームＩＤは、受信側の第２伝送装置２におけるクライアント信号Ｓｉの復元処理に用いられる。なお、ＦＥＣ情報、スルー情報、及びフレームＩＤは、例えば、ユーザの操作に従って、ネットワーク管理装置などから第１及び第２伝送装置１，２に設定される。
【００６９】
このように、第１オーバーヘッド＃１〜＃ｎは、フレーム同期に用いられるＦＡＳ及びＭＦＡＳと、さらにペイロード＃１〜＃ｎの各々の信号品質を監視するための情報（エラー監視情報など）とを含む。したがって、第１オーバーヘッド＃１〜＃ｎは、ペイロード＃１〜＃ｎと同一の第１論理レーンを介して伝送され、受信側の第２伝送装置２においてペイロード＃１〜＃ｎと同じタイミングで受信されるので、問題なくペイロード＃１〜＃ｎの受信処理が行われる。
【００７０】
図１１は、実施例に係る伝送装置１の構成を示す構成図である。より具体的には、図１１には、信号処理部１０の構成例が示されている。伝送装置１は、オーバーヘッド処理部１０１と、複数の第１送信部１０ａと、第２送信部１０ｂと、第３送信部１０ｃとを有する。
【００７１】
オーバーヘッド処理部（ペイロード生成部）１０１は、クライアント信号Ｓｉのデータからペイロード＃１〜＃ｎを生成する。また、オーバーヘッド処理部１０１は、ペイロード＃１〜＃ｎにそれぞれ対応するオーバーヘッド＃１〜＃ｎを生成して、第１オーバーヘッド＃１〜＃ｎ及び第２オーバーヘッド＃１〜＃ｎに分離する。オーバーヘッド処理部１０１は、第１オーバーヘッド＃１〜＃ｎ及びペイロード＃１〜＃ｎを複数の第１送信部１０ａにそれぞれ出力し、第２オーバーヘッド＃１〜＃ｎを第２送信部１０ｂに出力する。
【００７２】
複数の第１送信部１０ａは、図７に示された複数の第１論理レーン＃１〜＃ｎにそれぞれ対応する。第２送信部１０ｂは、第２論理レーンに対応し、第３送信部１０ｃは、第３論理レーンに対応する。
【００７３】
複数の第１送信部１０ａは、第１オーバーヘッド＃１〜＃ｎ（つまり、ペイロードに関するペイロード情報）が付与されたペイロード＃１〜＃ｎをそれぞれ送信する。第２送信部１０ｂは、ペイロード＃１〜＃ｎにそれぞれ対応する第２オーバーヘッド＃１〜＃ｎ（つまり、第１論理レーンに関する管理情報）を順次に送信する。第３送信部１０ｃは、ペイロード＃１〜＃ｎ及び第１及び第２オーバーヘッド＃１〜＃ｎのデータの誤りをそれぞれ訂正するための誤り訂正符号であるＦＥＣ＃１〜＃ｎを順次に送信する。
【００７４】
複数の第１送信部１０ａは、それぞれ、第１フレーム生成部１０３と、第１搬送波生成部１０６と、電気−光（Ｅ／Ｏ）変換部１０７ａとを有する。第１フレーム生成部１０３は、ペイロード＃１〜＃ｎ及び第１オーバーヘッド＃１〜＃ｎから第１フレーム＃１〜＃ｎをそれぞれ生成する。ここで、第１フレーム生成部１０３は、ペイロード＃ｉに、第１オーバーヘッド＃ｉを付与する付与部として機能する。
【００７５】
第１搬送波生成部１０６は、第１フレーム＃１〜＃ｎが重畳された搬送波を生成する。電気−光変換部１０７ａは、それぞれ、例えば光トランシーバであり、電気信号の搬送波を光信号の搬送波に変換する。
【００７６】
第２送信部１０ｂは、それぞれ、第２フレーム生成部１０２と、第２搬送波生成部１０５と、電気−光変換部１０７ｂとを有する。第２フレーム生成部１０２は、第２オーバーヘッド＃１〜＃ｎから第２フレームを生成する。第２搬送波生成部１０５は、第２フレームが重畳された搬送波を生成する。なお、電気−光変換部１０７ｂは、電気−光変換部１０７ａと同様である。
【００７７】
第３送信部１０ｃは、それぞれ、第３フレーム生成部１０８と、第３搬送波生成部１０９と、電気−光変換部１０７ｃとを有する。第３フレーム生成部（誤り訂正符号生成部）１０８は、第１フレーム＃１〜＃ｎ及び第２フレームに基づいて、ＦＥＣ演算を実行し、第３フレームを生成する。第３フレーム生成部１０８は、第１フレームに含まれるＦＥＣ情報が「無」を示す場合、上述したように、ＦＥＣ演算を行わず、ＦＥＣ＃ｉに代えてダミーデータを挿入する。
【００７８】
第３搬送波生成部１０９は、それぞれ、第３フレームが重畳された搬送波を生成する。なお、電気−光変換部１０７ｃは、電気−光変換部１０７ａと同様である。
【００７９】
一方、図１２は、受信側の伝送装置２の構成例を示す構成図である。より具体的には、図１２には、信号処理部２０の構成例が示されている。受信側の伝送装置２は、複数の光−電気（Ｏ／Ｅ）変換部２０１と、複数の同期処理部２０２と、配列処理部２０３と、スキュー調整部２０４と、ＦＥＣ処理部２０５と、復元処理部２０６とを有する。
【００８０】
複数の光−電気変換部２０１は、第１送信部１０ａ、第２送信部１０ｂ、及び第３送信部１０ｃから送信された各光信号を、伝送路３を介してそれぞれ受信する。複数の光−電気変換部２０１は、それぞれ、例えば光レシーバであり、光信号の搬送波を電気信号の搬送波に変換する。
【００８１】
複数の光−電気変換部２０１及び複数の同期処理部２０２は、互いに接続され、第１論理レーン＃１〜＃ｎ、第２論理レーン、及び第３論理レーンに対応する受信側の論理レーンとして機能する。複数の同期処理部２０２は、それぞれ、第１フレーム＃１〜＃ｎ、第２フレーム、及び第３フレームに含まれるＦＡＳ及びＭＦＡＳを検出し、論理レーン間の同期処理を実行する。
【００８２】
配列処理部２０３は、第１フレーム＃１〜＃ｎ、第２フレーム、及び第３フレームを、ＦＡＳに基づいて論理レーンの順番に配列する。ＦＡＳは、上述したように、論理レーンのレーン番号であるＬＬＭを含む。ＬＬＭは、より具体的には、０〜２３９の値が繰り返して順番に使用される。したがって、配列処理部２０３は、ＬＬＭを論理レーンの全数（本例では２０）で除算して得た余りから実際のレーン番号を判断し、該レーン番号に従って各フレームを配列する。
【００８３】
スキュー調整部２０４は、ＦＡＳ及びＭＦＡＳを検出し、第１フレーム＃１〜＃ｎ、第２フレーム、及び第３フレームのスキューを調整する。スキューの調整処理は、１つのクライアント信号Ｓｉのデータが、単一の第１フレーム＃ｉに収容されて送信される場合、不要である。このため、上記のスルー情報が「可」を示す場合、スキュー調整処理は実行されない。つまり、スキューの調整処理は、１つのクライアント信号Ｓｉのデータが、複数の第１フレーム＃ｉに収容されて送信される場合（スルー情報が「不可」を示す場合）に実行される。
【００８４】
ＦＥＣ処理部２０５は、第１及び第２オーバーヘッド＃１〜＃ｎ及びペイロード＃１〜＃ｎからそれぞれＦＥＣを算出し、第３フレーム＃１〜＃ｎに含まれるＦＥＣ＃１〜＃ｎと比較する。ＦＥＣ処理部２０５は、該比較結果に応じて、第１及び第２オーバーヘッド＃１〜＃ｎ及びペイロード＃１〜＃ｎのエラーを訂正する。なお、ＦＥＣ処理部２０５は、上記のＦＥＣ情報が「無」を示す場合、ＦＥＣ処理を実行せず、上述したダミーデータを終端する。
【００８５】
復元処理部２０６は、第１フレーム＃１〜＃ｎの第１オーバーヘッド＃１〜＃ｎに含まれるフレームＩＤに基づいて、第１フレーム＃１〜＃ｎからクライアント信号Ｓｉを復元する。復元処理部２０６は、第１フレーム＃１〜＃ｎのうち、フレームＩＤ内のグループ番号が共通の第１フレーム＃ｉ〜＃ｉ＋ｊを１つのクライアント信号Ｓｉとして生成する。なお、上記のスルー情報が「可」を示す場合、当該第１フレーム＃ｉは、１つのクライアント信号Ｓｉから生成されたものであるため、当該第１フレーム＃ｉに関する復元処理は実行されない。
【００８６】
図１３は、実施例に係る伝送システムの伝送処理を示すフローチャートである。オーバーヘッド処理部１０１は、伝送装置１に入力されたクライアント信号Ｓｉのデータからペイロード＃１〜＃ｎを生成し、ペイロード＃１〜＃ｎにそれぞれ対応する複数のオーバーヘッド＃１〜＃ｎを生成する（ステップＳｔ１）。オーバーヘッド処理部１０１は、１つのクライアント信号Ｓｉのデータを複数のペイロード＃ｉ〜＃ｉ＋ｊに収容する場合、各ペイロード＃ｉ〜＃ｉ＋ｊに関して、フレームＩＤを生成する。
【００８７】
次に、オーバーヘッド処理部１０１は、生成した複数のオーバーヘッド＃１〜＃ｎを、第１オーバーヘッド＃１〜＃ｎ及び第２オーバーヘッド＃１〜＃ｎに分離する（ステップＳｔ２）。本実施例において、第１及び第２オーバーヘッド＃１〜＃ｎの内容は、図１０及び図９に示される。第１及び第２オーバーヘッド＃１〜＃ｎは、上述したように、ペイロード＃１〜＃ｎとの関連性の高低に応じて区分される。
【００８８】
次に、オーバーヘッド処理部１０１は、第１オーバーヘッド＃１〜＃ｎを、ペイロード＃１〜＃ｎとともに、複数の第１フレーム生成部１０３に出力し、第２オーバーヘッド＃１〜＃ｎを第２フレーム生成部１０２に出力する（ステップＳｔ３）。なお、１つのクライアント信号Ｓｉのデータが複数のペイロード＃ｉ〜＃ｉ＋ｊに収容される場合、該当する第１及び第２オーバーヘッド＃ｉ〜＃ｉ＋ｊは、複製処理により同一内容を有するように生成される。
【００８９】
次に、第２フレーム生成部１０２は、第２フレームを生成する（ステップＳｔ４）。生成された第２フレームは、第３フレーム生成部１０８及び第２搬送波生成部１０５に出力される。
【００９０】
また、上記ステップＳｔ４の処理と並行して、複数の第１フレーム生成部１０３は、それぞれ、第１フレーム＃１〜＃ｎを生成する（ステップＳｔ５）。つまり、複数の第１フレーム生成部１０３は、第１オーバーヘッド＃１〜＃ｎをペイロード＃１〜＃ｎにそれぞれ付与する。生成された第１フレーム＃１〜＃ｎは、第３フレーム生成部１０８及び複数の第１搬送波生成部１０６に出力される。
【００９１】
次に、第３フレーム生成部１０８は、各第１フレーム＃１〜＃ｎ及び第２フレームに基づいて第３フレームを生成する（ステップＳｔ６）。第３フレーム生成部１０８は、第１及び第２オーバーヘッド＃１〜＃ｎと、ペイロード＃１〜＃ｎとについて、ＦＥＣの演算処理を行い、ＦＥＣ＃１〜＃ｎを得る。生成された第３フレームは、第３搬送波生成部１０９に出力される。なお、ＦＥＣ情報が「無」を示す場合、第３フレーム生成部１０８は、ＦＥＣ＃ｉに代えてダミーデータを挿入する。
【００９２】
次に、第１搬送波生成部１０６、第２搬送波生成部１０５、及び第３搬送波生成部１０９は、第１フレーム＃１〜＃ｎ、第２フレーム、及び第３フレームから搬送波を生成する（ステップＳｔ７）。生成された各搬送波は、各電気−光変換部１０７ａ〜１０７ｃに出力される。
【００９３】
次に、各電気−光変換部１０７ａ〜１０７ｃは、電気信号の搬送波を光信号の搬送波に変換し、伝送路３を介して受信側の伝送装置２に送信する（ステップＳｔ８）。このとき、各電気−光変換部１０７ａ〜１０７ｃは、例えばＱＡＭ（Quadrature Amplitude Modulation）やＦＳＫ（Frequency-Shift Keying）などの変調方式により変調処理を行う。したがって、電気−光変換部１０７ａ〜１０７ｃは、各々の変調方式に応じた伝送速度で各搬送波を送信する。
【００９４】
上述したように、複数の第１送信部１０ａは、第１オーバーヘッド＃１〜＃ｎを、複数のペイロード＃１〜＃ｎとともに送信し、第２送信部１０ｂは、複数の第２オーバーヘッド＃１〜＃ｎを送信する。また、第３送信部１０ｃは、ＦＥＣ＃１〜＃ｎを送信する。
【００９５】
このため、第２送信部１０ｂが、複数の第１送信部１０ａより低い伝送速度で第２オーバーヘッド＃１〜＃ｎを送信することにより、ペイロード＃１〜＃ｎの帯域を増加することができる。これは、第３送信部１０ｃが、複数の第１送信部１０ａより低い伝送速度でＦＥＣ＃１〜＃ｎを送信する場合も同様である。この場合、第２オーバーヘッド＃１〜＃ｎ及びＦＥＣ＃１〜＃ｎは、第１オーバーヘッド＃１〜＃ｎがそれぞれ付与されたペイロード＃１〜＃ｎより低い伝送速度で送信される。
【００９６】
次に、受信側の第２伝送装置２において、各光−電気変換部２０１は、伝送路３を介して入力された光信号の搬送波を、電気信号の搬送波に変換して受信する（ステップＳｔ９）。各光−電気変換部２０１は、論理レーンが対応する各電気−光変換部１０７ａ〜１０７ｃに応じた復調処理を行う。各搬送波に重畳された第１フレーム＃１〜＃ｎ、第２フレーム、及び第３フレームは、複数の同期処理部２０２に出力される。
【００９７】
次に、複数の同期処理部２０２は、それぞれ、第１フレーム＃１〜＃ｎ、第２フレーム、及び第３フレーム内のＦＡＳ及びＭＦＡＳを検出することにより、論理レーン間の同期処理を行う（ステップＳｔ１０）。同期処理がなされた第１フレーム＃１〜＃ｎ、第２フレーム、及び第３フレームは、配列処理部２０３に出力される。
【００９８】
次に、配列処理部２０３は、第１フレーム＃１〜＃ｎ、第２フレーム、及び第３フレームの各ＦＡＳ内のＬＬＭを検出し、ＬＬＭに基づいてレーン番号を取得して、レーン番号に従った論理レーンの配列処理を行う（ステップＳｔ１１）。配列処理がなされた第１フレーム＃１〜＃ｎ、第２フレーム、及び第３フレームは、スキュー調整部２０４に出力される。
【００９９】
次に、スキュー調整部２０４は、ＦＡＳ及びＭＦＡＳを検出して、第１フレーム＃１〜＃ｎ、第２フレーム、及び第３フレームのスキューを調整する（ステップＳｔ１２）。スキュー調整部２０４は、スルー情報が「可」を示す場合、スキュー調整部２０４は、当該フレーム＃ｉのスキュー調整を行わない。スキュー調整部２０４は、第１フレーム＃１〜＃ｎ、第２フレーム、及び第３フレームをＦＥＣ処理部２０５に出力する。
【０１００】
次に、ＦＥＣ処理部２０５は、第１及び第２オーバーヘッド＃１〜＃ｎと、ペイロード＃１〜＃ｎとに基づいて、各ＦＥＣの演算処理を行う（ステップＳｔ１３）。ＦＥＣ処理部２０５は、演算処理で得られた各ＦＥＣを、第３フレーム内のＦＥＣ＃１〜＃ｎと比較し、該比較結果に応じて、該当するフレームのデータを訂正する。このとき、ＦＥＣ情報が「無」を示す場合、ＦＥＣ処理部２０５は、該当するフレームのＦＥＣの演算を行わない。
【０１０１】
次に、復元処理部２０６は、第１フレーム＃１〜＃ｎからクライアント信号Ｓｉを復元する（ステップＳｔ１４）。復元処理部２０６は、フレームＩＤに基づいてクライアント信号Ｓｉの復元処理を行う。例えば、第１オーバーヘッド＃２及び第１オーバーヘッド＃３のフレームＩＤ内のグループ番号が共通であるとき、復元処理部２０６は、ペイロード＃２及びペイロード＃３から１つのクライアント信号Ｓｉを復元する。なお、スルー情報が「可」を示す場合、復元処理部２０６は、該当するペイロードフレーム＃ｉについて、復元処理を行わない。このようにして、伝送処理は行われる。
【０１０２】
本実施例において、第１フレーム＃１〜＃ｎ、第２フレーム、及び第３フレームは、クライアント信号Ｓｉから直接的に生成されるが、これに限定されない。ＩＴＵ−Ｔ勧告Ｇ．７０９に準拠するように、クライアント信号Ｓｉから、いったんＯＤＵフレームを生成し、該ＯＤＵフレームから第１フレーム＃１〜＃ｎ、第２フレーム、及び第３フレームを生成してもよい。なお、ＯＤＵフレームは、図３に示されたＯＴＵフレームからＦＥＣ領域を除いた構造を備える。
【０１０３】
図１４は、他の実施例に係る伝送装置１の構成を示す構成図である。より具体的には、図１４には、信号処理部１０の他の構成例が示されている。図１４において、図１１に示された伝送装置１と共通する構成については、同一の符号を付して、その説明を省略する。
【０１０４】
伝送装置１は、ＯＤＵフレーム生成部（フレーム生成部）１００と、オーバーヘッド処理部１０１ａと、複数の第１送信部１０ａと、第２送信部１０ｂと、第３送信部１０ｃとを有する。ＯＤＵフレーム生成部１００は、クライアント信号（データ信号）ＳｉからＯＤＵフレーム（フレーム）を生成する。このとき、クライアント信号Ｓｉのデータは、ＯＤＵフレームのペイロード領域に収容される。
【０１０５】
オーバーヘッド処理部１０１ａは、生成されたＯＤＵフレームのオーバーヘッド領域から制御情報を取得し、ペイロード領域からクライアント信号Ｓｉのデータを取得する。オーバーヘッド処理部１０１ａは、ＦＥＣ情報、スルー情報、及びフレームＩＤを生成して制御情報に追加し、制御情報を第１オーバーヘッド及び第２オーバーヘッドに分離する。つまり、オーバーヘッド処理部１０１ａは、ＯＤＵフレームから取得可能な制御情報を、第１オーバーヘッドを含む第１グループ、及び第２オーバーヘッドを含む第２グループに分離する分離処理部として機能する。本実施例では、ＩＴＵ−Ｔ勧告Ｇ．７０９に準拠するため、オーバーヘッドは、オーバーヘッドに対する関連性だけでなく、図３に示されたＯＴＵフレーム内の配置に基づいて第１オーバーヘッド及び第２オーバーヘッドに区分される。
【０１０６】
図１５には、本実施例における第２オーバーヘッドの内容が示されている。図１５において、枠内にある「＊１」及び「＊２」の内容は、枠外の「＊１」及び「＊２」にそれぞれ示される。
【０１０７】
第２オーバーヘッドは、ＳＭ、ＧＣＣ０、及びＰＳＩを含む。ＳＭは、ＴＴＩと、ＢＩＰ−８と、ＢＥＩ／ＢＩＡＥと、ＢＤＩと、ＩＡＥと、ＲＥＳとを含む。ＰＳＩは、ＰＴ（Payload Type）と、ＭＳＩと、ＲＥＳとを含む。なお、ＭＳＩ及びＲＥＳのデータ量は、ＰＴの値と、ＨＯ（High Order）  ＯＤＵｋ（ｋ＝１〜４）の種別に応じて異なる。
【０１０８】
図１６には、本実施例における第１オーバーヘッドの内容が示されている。図１６において、枠内にある「＊１」〜「＊３」の内容は、枠外の「＊１」〜「＊３」にそれぞれ示される。
【０１０９】
第１オーバーヘッドは、ＦＡＳ、ＭＦＡＳ、ＧＣＣ１、ＧＣＣ２、ＰＭ＆ＴＣＭ、ＴＣＭ  ＡＣＴ、ＴＣＭ１〜ＴＣＭ６、ＦＴＦＬ、ＰＭ、ＡＰＳ／ＰＣＣ、ＥＸＰ、ＲＥＳ、ＮＪＯ，ＪＣ，及びＰＪＯを含む。ＴＣＭ１〜６は、それぞれ、ＴＴＩと、ＢＩＰ−８と、ＢＥＩｉ／ＢＩＡＥｉと、ＢＤＩｉと、ＳＴＡＴｉとを含む（ｉ＝１〜６）。ＰＭは、ＴＴＩと、ＢＩＰ−８と、ＢＥＩと、ＢＤＩと、ＳＴＡＴとを含む。ＪＣ１〜ＪＣ６は、ＡＭＰの場合、データが共通する３つだけが使用され、ＧＭＰの場合、全部が使用される。
【０１１０】
第１オーバーヘッドは、ＦＥＣ情報、スルー情報、及びフレームＩＤを、さらに含む。１つのＯＤＵフレームのペイロード（つまりクライアント信号Ｓｉ）が、単一の第１フレーム＃ｉに収容されて送信される場合、スルー情報は「可」を示す。他方、１つのＯＤＵフレームのペイロードが、複数の第１フレーム＃ｉ＋ｊに収容されて送信される場合、スルー情報は「不可」を示す。
【０１１１】
フレームＩＤは、１つのＯＤＵフレームのペイロードが、単一の第１フレーム＃ｉに収容されて送信される場合、当該ＯＤＵフレームを示す。また、ＦＥＣ情報は、共通のＯＤＵフレームから生成された複数のペイロード＃ｉ〜＃ｉ＋ｊについて、「有」または「無」が共通に設定される。例えば、１つのＯＤＵフレームから生成されたペイロード＃１、＃２について、ペイロード＃１に関するＦＥＣ情報を「有」とした場合、ペイロード＃２に関するＦＥＣ情報も「有」とされる。つまり、ＦＥＣ情報は、ＯＤＵフレームごとに設定される。
【０１１２】
オーバーヘッド処理部１０１ａは、ＯＤＵフレームのデータを複数のペイロード＃ｉ〜＃ｉ＋ｊに収容する場合、複製処理により同一内容の複数の第１及び第２オーバーヘッド＃ｉ〜＃ｉ＋ｊを生成する。
【０１１３】
オーバーヘッド処理部１０１ａは、第１オーバーヘッド＃１〜＃ｎ及びペイロード＃１〜＃ｎを複数の第１フレーム生成部１０３にそれぞれ出力し、第２オーバーヘッド＃１〜＃ｎを第２フレーム生成部１０２に出力する。なお、複数の第１フレーム生成部１０３、第２フレーム生成部１０２、搬送波生成部１０５，１０６，１０９、電気−光変換部１０７ａ〜１０７ｃ、及び第３フレーム生成部１０８の機能は、図１１を参照して述べたとおりである。
【０１１４】
一方、図１７は、本実施例における受信側の伝送装置２の構成例を示す構成図である。より具体的には、図１７には、信号処理部２０の構成例が示されている。図１７において、図１２に示された伝送装置２と共通する構成については、同一の符号を付して、その説明を省略する。
【０１１５】
受信側の伝送装置２は、複数の光−電気（Ｏ／Ｅ）変換部２０１と、複数の同期処理部２０２と、配列処理部２０３と、スキュー調整部２０４と、ＦＥＣ処理部２０５と、復元処理部２０６ａと、信号抽出部２００とを有する。複数の光−電気変換部２０１と、複数の同期処理部２０２と、配列処理部２０３と、スキュー調整部２０４と、ＦＥＣ処理部２０５は、図１２を参照して述べたとおりである。
【０１１６】
復元処理部２０６ａは、フレームＩＤに基づいて、第１フレーム＃１〜＃ｎ及び第２フレームから、ＯＤＵフレームを復元する。復元処理部２０６ａは、第１フレーム＃１〜＃ｎのうち、フレームＩＤが共通の第１フレーム＃ｉ〜＃ｉ＋ｊを１つのＯＤＵフレームのペイロードとして生成する。なお、スルー情報が「可」を示す場合、当該第１フレーム＃ｉは、１つのＯＤＵフレームから生成されたものであるため、当該第１フレーム＃ｉに関する復元処理は実行されない。
【０１１７】
信号抽出部２００は、ＯＤＵフレームからクライアント信号Ｓｉを抽出する。すなわち、信号抽出部２００は、ＯＤＵフレームのペイロードからクライアント信号Ｓｉを取得する。
【０１１８】
図１８は、本実施例に係る伝送システムの伝送処理を示すフローチャートである。図１８において、ステップＳｔ２５〜Ｓｔ３４の処理は、図１３に示されたステップＳｔ４〜Ｓｔ１３と共通するため、その説明を省略する。
【０１１９】
ステップＳｔ２１において、ＯＤＵフレーム生成部１００は、クライアント信号ＳｉからＯＤＵフレームを生成する。生成されたＯＤＵフレームは、オーバーヘッド処理部１０１ａに出力される。
【０１２０】
ステップＳｔ２２において、オーバーヘッド処理部１０１ａは、生成されたＯＤＵフレームのオーバーヘッド領域からオーバーヘッド＃１〜＃ｎを取得し、ペイロード領域からクライアント信号Ｓｉのデータ（ペイロード＃１〜＃ｎ）を取得する。ステップＳｔ２３において、オーバーヘッド処理部１０１ａは、オーバーヘッド＃１〜＃ｎを第１オーバーヘッド（第１グループの制御情報）＃１〜＃ｎ及び第２オーバーヘッド（第２グループの制御情報）＃１〜＃ｎに分離する。第１オーバーヘッド＃１〜＃ｎ及び第２オーバーヘッド＃１〜＃ｎの内容は、図１６及び図１５にそれぞれ示されている。
【０１２１】
ステップＳｔ２４において、第１オーバーヘッド＃１〜＃ｎは、ペイロード＃１〜＃ｎとともに、複数の第１フレーム生成部１０３にそれぞれ出力される。また、第２オーバーヘッド＃１〜＃ｎは、第２フレーム生成部１０２に出力される。その後、ステップＳｔ２５〜Ｓｔ３４において、既に述べたステップＳｔ４〜Ｓｔ１３と同様の処理が行われる。
【０１２２】
ステップＳｔ３５において、復元処理部２０６ａは、フレームＩＤに基づいて、第１フレーム＃１〜＃ｎ及び第２フレームから、ＯＤＵフレームを復元する。ステップＳｔ３６において、信号抽出部２００は、ＯＤＵフレームからクライアント信号Ｓｉを抽出する。このようにして、伝送処理は行われる。
【０１２３】
これまで述べたように、実施例に係る伝送装置１は、ペイロード＃１〜＃ｎを生成するオーバーヘッド処理部１０１と、ペイロードに関するペイロード情報（第１オーバーヘッド＃１〜＃ｎ）をペイロード＃１〜＃ｎに付与する第１フレーム生成部１０３とを有する。ペイロード情報が付与されたペイロード＃１〜＃ｎは、第１論理レーンを介して送信され、第１論理レーンに関する管理情報（第２オーバーヘッド＃１〜＃ｎ）は、第２レーンを介して送信される。
【０１２４】
実施例に係る伝送装置１によると、第２オーバーヘッド＃１〜＃ｎと、第１オーバーヘッド＃１〜＃ｎ及びペイロード＃１〜＃ｎとが、別々に送信される。このため、ペイロード＃１〜＃ｎの速度（伝送速度）を第２オーバーヘッド＃１〜＃ｎより高くすることによって、ペイロード＃１〜＃ｎの帯域の比率を、第２オーバーヘッド＃１〜＃ｎより多く確保することができる。上述した実施例の場合、例えば、第２論理レーンの電気−光変換部１０７ｂの伝送速度を２．４（Ｇｂｐｓ）とし、第１論理レーン＃１〜＃ｎの電気−光変換部１０７ａの伝送速度を１００（Ｇｂｐｓ）とすることができる。
【０１２５】
また、実施例に係る伝送装置１によると、ペイロード＃１〜＃ｎのオーバーヘッド＃１〜＃ｎから、第２オーバーヘッド＃１〜＃ｎを分離し、ペイロード＃１〜＃ｎとは別に送信するので、ペイロード＃１〜＃ｎとともに送信されるデータ量が低減される。したがって、実施例に係る伝送装置１によると、帯域の利用効率を向上することができる。
【０１２６】
また、実施例に係る伝送システムは、上記の伝送装置１と、伝送装置１と伝送路を介して接続された受信側の伝送装置２とを有する。受信側の伝送装置２は、第１論理レーン及び第２論理レーンを介して送信された信号を受信する。実施例に係る伝送システムは、上記の伝送装置１を含むので、実施例に係る伝送装置１と同様の作用効果を奏する。
【０１２７】
また、実施例に係る伝送方法によると、ペイロード＃１〜＃ｎを生成し、ペイロード＃１〜＃ｎに関するペイロード情報（第１オーバーヘッド＃１〜＃ｎ）をペイロード＃１〜＃ｎに付与する。そして、ペイロード情報が付与されたペイロード＃１〜＃ｎを、第１論理レーンを介して送信し、第１論理レーンに関する管理情報（第２オーバーヘッド＃１〜＃ｎ）を、第２レーンを介して送信する。したがって、実施例に係る伝送方法によると、実施例に係る伝送装置１と同様の作用効果を奏する。
【０１２８】
これまで述べた実施例では、第３論理レーンが設けられているが、例えば短距離の伝送路３を介して伝送する場合、エラーレートが低く、誤り訂正処理を用いなくてもよいため、第３論理レーンを設けなくてもよい。この場合、第３論理レーンを、第１論理レーンとして使用してもよい。一方、例えば長距離の伝送路３を介して伝送する場合、エラーレートが高く、高性能の誤り訂正処理を行うほうがよいため、複数の第３論理レーンを設けてもよい。
【０１２９】
以上、好ましい実施例を参照して本発明の内容を具体的に説明したが、本発明の基本的技術思想及び教示に基づいて、当業者であれば、種々の変形態様を採り得ることは自明である。
【符号の説明】
【０１３０】
１                    第１伝送装置（伝送装置）
２                    第２伝送装置
３                    伝送路
１０ａ                第１送信部
１０ｂ                第２送信部
１０ｃ                第３送信部
１００                ＯＤＵフレーム生成部（フレーム生成部）
１０１，１０１ａ      オーバーヘッド処理部（ペイロード生成部、分離処理部）
１０３                第１フレーム生成部（付与部）
１０４                第２フレーム生成部
１０８                第３フレーム生成部（誤り訂正符号生成部）
２０１                光−電気変換部
Ｓｉ                  クライアント信号（データ信号）
【図１】
2014147743.tif 000003
【図２】
2014147743.tif 000004
【図３】
2014147743.tif 000005
【図４】
2014147743.tif 000006
【図５】
2014147743.tif 000007
【図６】
2014147743.tif 000008
【図７】
2014147743.tif 000009
【図８】
2014147743.tif 000010
【図９】
2014147743.tif 000011
【図１０】
2014147743.tif 000012
【図１１】
2014147743.tif 000013
【図１２】
2014147743.tif 000014
【図１３】
2014147743.tif 000015
【図１４】
2014147743.tif 000016
【図１５】
2014147743.tif 000017
【図１６】
2014147743.tif 000018
【図１７】
2014147743.tif 000019
【図１８】
2014147743.tif 000020
【手続補正書】
【提出日】平成27年9月28日(2015.9.28)
【手続補正１】
【補正対象書類名】特許請求の範囲
【補正対象項目名】全文
【補正方法】変更
【補正の内容】
【特許請求の範囲】
【請求項１】
ペイロードを生成するペイロード生成部と、
前記ペイロードに関するペイロード情報を前記ペイロードに付与する付与部とを有し、
前記ペイロード情報が付与された前記ペイロードは、第１レーンを介して送信され、前記第１レーンに関する管理情報は、第２レーンを介して送信されることを特徴とする伝送装置。
【請求項２】
前記第１レーンを介して送信される前記ペイロード、及び前記第２レーンを介して送信される前記管理情報の誤りを訂正するための誤り訂正符号を生成する誤り訂正符号生成部を、さらに有し、
前記誤り訂正符号は、第３レーンを介して送信されることを特徴とする請求項１に記載の伝送装置。
【請求項３】
データ信号からフレームを生成するフレーム生成部を、さらに有し、
前記ペイロード、前記ペイロード情報、及び前記管理情報は、前記フレームから取得されることを特徴とする請求項１または２に記載の伝送装置。
【請求項４】
前記フレームから取得可能な制御情報を、前記ペイロード情報を含む第１グループ、及び前記管理情報を含む第２グループに分離する分離処理部を、さらに有し、
前記付与部は、前記第１グループの制御情報を前記ペイロードに付与し、
前記第１グループの制御情報が付与された前記ペイロードは、前記第１レーンを介して送信され、前記第２グループの制御情報は、前記第２レーンを介して送信されることを特徴とする請求項３に記載の伝送装置。
【請求項５】
前記ペイロード情報は、共通のデータ信号から生成された前記ペイロードを識別するための識別子を含むことを特徴とする請求項１乃至４の何れかに記載の伝送装置。
【請求項６】
前記管理情報は、前記ペイロード情報が付与された前記ペイロードより低い伝送速度で送信されることを特徴とする請求項１乃至５の何れかに記載の伝送装置。
【請求項７】
前記誤り訂正符号は、前記ペイロード情報が付与された前記ペイロードより低い伝送速度で送信されることを特徴とする請求項２に記載の伝送装置。
【請求項８】
ペイロードを生成し、前記ペイロードに関するペイロード情報を前記ペイロードに付与する第１伝送装置と、
前記第１伝送装置と接続された第２伝送装置とを有し、
前記第１伝送装置は、前記ペイロード情報が付与された前記ペイロードを、第１レーンを介して送信し、前記第１レーンに関する管理情報を、第２レーンを介して送信し、
前記第２伝送装置は、前記第１レーン及び前記第２レーンを介して送信された信号を受信することを特徴とする伝送システム。
【請求項９】
ペイロードを生成し、
前記ペイロードに関するペイロード情報を前記ペイロードに付与し、
前記ペイロード情報が付与された前記ペイロードを、第１レーンを介して送信し、
前記第１レーンに関する管理情報を、第２レーンを介して送信することを特徴とする伝送方法。
【手続補正２】
【補正対象書類名】明細書
【補正対象項目名】００２７
【補正方法】変更
【補正の内容】
【００２７】
ＦＡＳオーバーヘッドは、ＦＡＳ及びＭＦＡＳ（Multi-Frame Alignment Signal）を含み、受信側の第２伝送装置２におけるフレーム同期に用いられる。言い換えれば、ＦＡＳオーバーヘッドは、ＯＴＵフレームの先頭を示す固有パタンデータである。なお、ＦＡＳの６（Ｂｙｔｅ）目のデータは、論理レーンのレーン番号（ＬＬＭ：Logical Lane Marker）に対応する。
【手続補正３】
【補正対象書類名】明細書
【補正対象項目名】００４１
【補正方法】変更
【補正の内容】
【００４１】
クライアント信号Ｓｉのデータは、第１論理レーン＃１〜＃ｎのうち、少なくとも１つの論理レーンに分配される。つまり、第１論理レーン＃１〜＃ｎは、個別のクライアント信号Ｓｉ，・・・，Ｓi+j（ｊは１以上の自然数）のデータがそれぞれ分配されてもよいし、単一のクライアント信号Ｓｉを分割して得られたデータがそれぞれ分配されてもよい。
【手続補正４】
【補正対象書類名】明細書
【補正対象項目名】００４８
【補正方法】変更
【補正の内容】
【００４８】
一方、第２オーバーヘッド＃１〜＃ｎは、ペイロード＃１〜＃ｎとの関連性が相対的に低く、第２フレームにそれぞれ含まれて送信される。例えば、ペイロードとの関連性が低い情報とは、装置間において送受信されるような情報であり、障害通知等がある。なお、第１オーバーヘッド＃１〜＃ｎ及び第２オーバーヘッド＃１〜＃ｎの内容の具体例については、後述する。
【手続補正５】
【補正対象書類名】明細書
【補正対象項目名】００４９
【補正方法】変更
【補正の内容】
【００４９】
第１フレーム＃１〜＃ｎは、第１論理レーン＃１〜＃ｎを介してそれぞれ送信される。第１フレーム＃ｉは、それぞれ、第１オーバーヘッド＃ｉが付与されたペイロード＃ｉが配置されている（ｉ＝１〜ｎ）。第１オーバーヘッド＃ｉの先頭位置には、レーン間の同期処理を行うためのＦＡＳ及びＭＦＡＳが先頭に配置されている。１つのクライアント信号Ｓｉを、複数の論理レーン＃ｉ〜＃ｉ＋ｊに分配する場合、該クライアント信号Ｓｉのデータは、複数のペイロード＃ｉ〜＃ｉ＋ｊに分かれて収容される。この場合、ペイロード＃ｉ〜＃ｉ＋ｊにそれぞれ対応する第１及び第２オーバーヘッド＃ｉ〜＃ｉ＋ｊは、同一の内容を有する。
【手続補正６】
【補正対象書類名】明細書
【補正対象項目名】００５５
【補正方法】変更
【補正の内容】
【００５５】
例えば、第１オーバーヘッド＃１〜＃ｎは、ペイロード＃１〜＃ｎに付与されるＦＡＳ及びＭＦＡＳである。ＦＡＳ及びＭＦＡＳは、フレーム同期で用いられるので、仮に、ＦＡＳ及びＭＦＡＳをペイロード＃１〜＃ｎに付与せずに送信すると、ペイロード＃１〜＃ｎは、受信側の第２伝送装置２において正常に受信されない。言い換えれば、第１オーバーヘッド＃１〜＃ｎは、ペイロード＃１〜＃ｎに関するペイロード情報である。このように、フレーム同期に用いられる情報は、第１オーバーヘッド＃１〜＃ｎに含まれ、ペイロード＃１〜＃ｎに付与されて送信される。
【手続補正７】
【補正対象書類名】明細書
【補正対象項目名】００５６
【補正方法】変更
【補正の内容】
【００５６】
また、第２オーバーヘッド＃１〜＃ｎは、ペイロード＃１〜＃ｎとの関連性が比較的に低いので、ペイロード＃１〜＃ｎと異なる伝送速度で送信しても問題を生ずることはない。例えば、第２オーバーヘッド＃１〜＃ｎは、伝送装置１，２間における保守運用管理のために送受信される管理情報である。言い換えれば、第２オーバーヘッド＃１〜＃ｎは、第１レーンに関する管理情報である。この管理情報は、受信側の第２伝送装置２において、ペイロードの受信のために使用される情報ではないため、ペイロード＃１〜＃ｎと異なるレーンで伝送しても、ペイロード＃１〜＃ｎの受信処理に影響しない。このように、受信側の第２伝送装置２において、ペイロード＃１〜＃ｎの受信処理に影響しない情報を、第２オーバーヘッド＃１〜＃ｎとして選択する。以下に、第１オーバーヘッド＃１〜＃ｎ及び第２オーバーヘッド＃１〜＃ｎについて具体的に述べる。
【手続補正８】
【補正対象書類名】明細書
【補正対象項目名】００７０
【補正方法】変更
【補正の内容】
【００７０】
図１１は、実施例に係る伝送装置１の構成を示す構成図である。より具体的には、図１１には、信号処理部１０の構成例が示されている。信号処理部１０は、オーバーヘッド処理部１０１と、複数の第１送信部１０ａと、第２送信部１０ｂと、第３送信部１０ｃとを有する。
【手続補正９】
【補正対象書類名】明細書
【補正対象項目名】００７９
【補正方法】変更
【補正の内容】
【００７９】
一方、図１２は、受信側の第２伝送装置２の構成例を示す構成図である。より具体的には、図１２には、信号処理部２０の構成例が示されている。信号処理部２０は、複数の光−電気（Ｏ／Ｅ）変換部２０１と、複数の同期処理部２０２と、配列処理部２０３と、スキュー調整部２０４と、ＦＥＣ処理部２０５と、復元処理部２０６とを有する。
【手続補正１０】
【補正対象書類名】明細書
【補正対象項目名】００８３
【補正方法】変更
【補正の内容】
【００８３】
スキュー調整部２０４は、ＦＡＳ及びＭＦＡＳを検出し、第１フレーム＃１〜＃ｎ、第２フレーム、及び第３フレームのスキューを調整する。スキューの調整処理は、１つのクライアント信号Ｓｉのデータが、単一の第１フレーム＃ｉに収容されて送信される場合、不要である。このため、上記のスルー情報が「可」を示す場合、スキュー調整処理は実行されない。つまり、スキューの調整処理は、１つのクライアント信号Ｓｉのデータが、複数の第１フレーム＃ｉ〜＃ｉ＋ｊに収容されて送信される場合（スルー情報が「不可」を示す場合）に実行される。
【手続補正１１】
【補正対象書類名】明細書
【補正対象項目名】００８４
【補正方法】変更
【補正の内容】
【００８４】
ＦＥＣ処理部２０５は、第１及び第２オーバーヘッド＃１〜＃ｎ及びペイロード＃１〜＃ｎからそれぞれＦＥＣを算出し、第３フレームに含まれるＦＥＣ＃１〜＃ｎと比較する。ＦＥＣ処理部２０５は、該比較結果に応じて、第１及び第２オーバーヘッド＃１〜＃ｎ及びペイロード＃１〜＃ｎのエラーを訂正する。なお、ＦＥＣ処理部２０５は、上記のＦＥＣ情報が「無」を示す場合、ＦＥＣ処理を実行せず、上述したダミーデータを終端する。
【手続補正１２】
【補正対象書類名】明細書
【補正対象項目名】００９３
【補正方法】変更
【補正の内容】
【００９３】
次に、各電気−光変換部１０７ａ〜１０７ｃは、電気信号の搬送波を光信号の搬送波に変換し、伝送路３を介して受信側の第２伝送装置２に送信する（ステップＳｔ８）。このとき、各電気−光変換部１０７ａ〜１０７ｃは、例えばＱＡＭ（Quadrature Amplitude Modulation）やＦＳＫ（Frequency-Shift Keying）などの変調方式により変調処理を行う。したがって、電気−光変換部１０７ａ〜１０７ｃは、各々の変調方式に応じた伝送速度で各搬送波を送信する。
【手続補正１３】
【補正対象書類名】明細書
【補正対象項目名】０１０４
【補正方法】変更
【補正の内容】
【０１０４】
信号処理部１０は、ＯＤＵフレーム生成部（フレーム生成部）１００と、オーバーヘッド処理部１０１ａと、複数の第１送信部１０ａと、第２送信部１０ｂと、第３送信部１０ｃとを有する。ＯＤＵフレーム生成部１００は、クライアント信号（データ信号）ＳｉからＯＤＵフレーム（フレーム）を生成する。このとき、クライアント信号Ｓｉのデータは、ＯＤＵフレームのペイロード領域に収容される。
【手続補正１４】
【補正対象書類名】明細書
【補正対象項目名】０１１０
【補正方法】変更
【補正の内容】
【０１１０】
第１オーバーヘッドは、ＦＥＣ情報、スルー情報、及びフレームＩＤを、さらに含む。１つのＯＤＵフレームのペイロード（つまりクライアント信号Ｓｉ）が、単一の第１フレーム＃ｉに収容されて送信される場合、スルー情報は「可」を示す。他方、１つのＯＤＵフレームのペイロードが、複数の第１フレーム＃ｉ〜＃ｉ＋ｊに収容されて送信される場合、スルー情報は「不可」を示す。
【手続補正１５】
【補正対象書類名】明細書
【補正対象項目名】０１１４
【補正方法】変更
【補正の内容】
【０１１４】
一方、図１７は、本実施例における受信側の第２伝送装置２の構成例を示す構成図である。より具体的には、図１７には、信号処理部２０の構成例が示されている。図１７において、図１２に示された第２伝送装置２と共通する構成については、同一の符号を付して、その説明を省略する。
【手続補正１６】
【補正対象書類名】明細書
【補正対象項目名】０１１５
【補正方法】変更
【補正の内容】
【０１１５】
信号処理部２０は、複数の光−電気（Ｏ／Ｅ）変換部２０１と、複数の同期処理部２０２と、配列処理部２０３と、スキュー調整部２０４と、ＦＥＣ処理部２０５と、復元処理部２０６ａと、信号抽出部２００とを有する。複数の光−電気変換部２０１と、複数の同期処理部２０２と、配列処理部２０３と、スキュー調整部２０４と、ＦＥＣ処理部２０５は、図１２を参照して述べたとおりである。
【手続補正１７】
【補正対象書類名】明細書
【補正対象項目名】０１２６
【補正方法】変更
【補正の内容】
【０１２６】
また、実施例に係る伝送システムは、上記の伝送装置１と、伝送装置１と伝送路を介して接続された受信側の第２伝送装置２とを有する。受信側の第２伝送装置２は、第１論理レーン及び第２論理レーンを介して送信された信号を受信する。実施例に係る伝送システムは、上記の伝送装置１を含むので、実施例に係る伝送装置１と同様の作用効果を奏する。
【手続補正書】
【提出日】平成28年10月3日(2016.10.3)
【手続補正１】
【補正対象書類名】特許請求の範囲
【補正対象項目名】全文
【補正方法】変更
【補正の内容】
【特許請求の範囲】
【請求項１】
フレームに含まれるオーバーヘッド情報及びペイロードを他装置に伝送する伝送装置において、
前記ペイロードと前記オーバーヘッド情報を生成し、前記オーバーヘッド情報を、前記他装置における前記ペイロードの受信に用いられる第１情報と、前記他装置における前記ペイロードの受信に用いられない第２情報とに分離するオーバーヘッド処理部と、
前記第１情報を前記ペイロードに付与し、前記第１情報が付与された前記ペイロードを、第１レーンを介して前記他装置に送信する第１送信部と、
前記第２情報を、第２レーンを介して前記他装置に送信する第２送信部とを有することを特徴とする伝送装置。
【請求項２】
前記第１レーンを介して送信される前記ペイロード、及び前記第２レーンを介して送信される前記第２情報の誤りを訂正するための誤り訂正符号を生成する誤り訂正符号生成部と、
前記誤り訂正符号を、第３レーンを介して送信する第３送信部とを、さらに有することを特徴とする請求項１に記載の伝送装置。
【請求項３】
データ信号から前記フレームを生成するフレーム生成部を、さらに有し、
前記オーバーヘッド処理部は、前記ペイロード及び前記オーバーヘッド情報を前記フレームから生成することを特徴とする請求項１または２に記載の伝送装置。
【請求項４】
前記第１情報は、共通のデータ信号から生成された前記ペイロードを識別するための識別子を含むことを特徴とする請求項１乃至３の何れかに記載の伝送装置。
【請求項５】
前記第２送信部は、前記第２情報を、前記第１情報が付与された前記ペイロードより低い伝送速度で送信することを特徴とする請求項１乃至４の何れかに記載の伝送装置。
【請求項６】
前記第３送信部は、前記誤り訂正符号を、前記第１情報が付与された前記ペイロードより低い伝送速度で送信することを特徴とする請求項２に記載の伝送装置。
【請求項７】
フレームに含まれるオーバーヘッド情報及びペイロードを伝送する第１伝送装置と、
前記第１伝送装置と接続された第２伝送装置とを有し、
前記第１伝送装置は、
前記ペイロードと前記オーバーヘッド情報を生成し、前記オーバーヘッド情報を、前記第２伝送装置における前記ペイロードの受信に用いられる第１情報と、前記第２伝送装置における前記ペイロードの受信に用いられない第２情報とに分離するオーバーヘッド処理部と、
前記第１情報を前記ペイロードに付与し、前記第１情報が付与された前記ペイロードを、第１レーンを介して前記第２伝送装置に送信する第１送信部と、
前記第２情報を、第２レーンを介して前記第２伝送装置に送信する第２送信部とを有し、
前記第２伝送装置は、前記第１レーンを介して、前記第１情報が付与された前記ペイロードを受信し、前記第２レーンを介して、前記第２情報を受信することを特徴とする伝送システム。
【請求項８】
フレームに含まれるオーバーヘッド情報及びペイロードを他装置に伝送する伝送方法において、
前記ペイロードと前記オーバーヘッド情報を生成し、
前記オーバーヘッド情報を、前記他装置における前記ペイロードの受信に用いられる第１情報と、前記他装置における前記ペイロードの受信に用いられない第２情報とに分離し、
前記第１情報を前記ペイロードに付与し、
前記第１情報が付与された前記ペイロードを、第１レーンを介して前記他装置に送信し、
前記第２情報を、第２レーンを介して前記他装置に送信することを特徴とする伝送方法。
【手続補正２】
【補正対象書類名】明細書
【補正対象項目名】０００９
【補正方法】変更
【補正の内容】
【０００９】
本明細書に記載の伝送装置は、フレームに含まれるオーバーヘッド情報及びペイロードを他装置に伝送する伝送装置において、前記ペイロードと前記オーバーヘッド情報を生成し、前記オーバーヘッド情報を、前記他装置における前記ペイロードの受信に用いられる第１情報と、前記他装置における前記ペイロードの受信に用いられない第２情報とに分離するオーバーヘッド処理部と、前記第１情報を前記ペイロードに付与し、前記第１情報が付与された前記ペイロードを、第１レーンを介して前記他装置に送信する第１送信部と、前記第２情報を、第２レーンを介して前記他装置に送信する第２送信部とを有する。
【手続補正３】
【補正対象書類名】明細書
【補正対象項目名】００１０
【補正方法】変更
【補正の内容】
【００１０】
本明細書に記載の伝送システムは、フレームに含まれるオーバーヘッド情報及びペイロードを伝送する第１伝送装置と、前記第１伝送装置と接続された第２伝送装置とを有し、前記第１伝送装置は、前記ペイロードと前記オーバーヘッド情報を生成し、前記オーバーヘッド情報を、前記第２伝送装置における前記ペイロードの受信に用いられる第１情報と、前記第２伝送装置における前記ペイロードの受信に用いられない第２情報とに分離するオーバーヘッド処理部と、前記第１情報を前記ペイロードに付与し、前記第１情報が付与された前記ペイロードを、第１レーンを介して前記第２伝送装置に送信する第１送信部と、前記第２情報を、第２レーンを介して前記第２伝送装置に送信する第２送信部とを有し、前記第２伝送装置は、前記第１レーンを介して、前記第１情報が付与された前記ペイロードを受信し、前記第２レーンを介して、前記第２情報を受信する。
【手続補正４】
【補正対象書類名】明細書
【補正対象項目名】００１１
【補正方法】変更
【補正の内容】
【００１１】
本明細書に記載の伝送方法は、フレームに含まれるオーバーヘッド情報及びペイロードを他装置に伝送する伝送方法において、前記ペイロードと前記オーバーヘッド情報を生成し、前記オーバーヘッド情報を、前記他装置における前記ペイロードの受信に用いられる第１情報と、前記他装置における前記ペイロードの受信に用いられない第２情報とに分離し、前記第１情報を前記ペイロードに付与し、前記第１情報が付与された前記ペイロードを、第１レーンを介して前記他装置に送信し、前記第２情報を、第２レーンを介して前記他装置に送信する方法である。
【国際調査報告】
2014147743.tif 000021
2014147743.tif 000022